(57)【特許請求の範囲】
【請求項１】
立向きの外筒に上部オイルシール、上部軸受、下部軸受、下部オイルシールを介して軸方向移動可能に内筒を取付け、この内筒にダンパピストンを収納し、このダンパピストンをロッドを介して外筒の下蓋に取付けた倒立型ストラットダンパにおいて、
前記下蓋の中央に、前記内筒の下端の内径よりも小さな外径を有する上に突な逆カップ形状部を形成することで、最圧縮時に内筒の下部に前記逆カップ形状部が進入し得るようにするとともに、この逆カップ形状部の下方空間に前記ロッドの下端部及びナットを収納するようにしたことを特徴とする倒立型ストラットダンパ。
【請求項２】
前記内筒の下部にオイルを封じ込めておくためのシール部材を取付け、このシール部材の下方で且つ外筒内の下部に加圧ガスを充填したことを特徴とする請求項１記載の倒立型ストラットダンパ。
【発明の詳細な説明】
【０００１】
【発明の属する技術分野】
本発明は倒立型ストラットダンパに関する。
【０００２】
【従来の技術】
倒立型ストラットダンパには、▲１▼特開平６−３３０９７５号公報「ストラット式サスペンション」、▲２▼特開平５−２２３１３８号公報「油圧ダンパー装置」が知られている。
【０００３】
上記▲１▼は、ショックアブソーバの曲げモーメントに対する剛性を確保するとともに全長を短縮したストラット式サスペンションに関する技術であり、同公報の図１に示される通り、立てた外筒２２と、この外筒２２下部の閉口端２２ａと、この閉口端２２ａから上方に延ばしたピストンロッド２６と、このピストンロッド２６上端に支持されたピストン２５と、このピストン２５の外面、外筒２２の内面間に摺動可能に挿入した内筒２７と、この内筒２７下部の開口端２７ｂより上方に取付けたロッドガイド２８と、内筒２７上部の閉口端２７ａと、ピストンロッド２６の下部外面に取付けたバウンドストッパ２４とを備える。
【０００４】
上記▲２▼は、組立性、安定性及び耐久性を向上させ且つ径方向のサイズを縮小させることを目的とした技術であり、同公報の図１に示される通り、立てた外筒２と、この外筒２の内側に設けた中間筒３と、外筒３下部に取付けたベース部材１１と、このベース部材１１の上部に設けたベース部材１２と、このベース部材１２から上方に延ばしたピストンロッド７と、このピストンロッド７上端に支持されるピストン６と、このピストン６の外面及び中間筒３の内面との間に摺動可能に挿入した内筒５と、この内筒５の下端に取付けた下部軸受１０と、前記中間筒３の上端に取付けた上部軸受９と、ピストンロッド７の下部外面に取付けたストッパ部材２４とを備える。
【０００５】
【発明が解決しようとする課題】
上記▲１▼では、外筒２２の閉口端２２ａを外筒２２の下端より上方に設けているため、内筒２７の開口端２７ｂの位置は、このサスペンションを最も圧縮させた場合でも、上記閉口端２２ａの位置より下がらない。ここで、内筒２７の上部の閉口端２７ａの位置を変更しない場合には、内筒２７の全長を短くすることになり、ストロークが大きく取れないという不都合がある。
【０００６】
また、上記▲２▼では、外筒２の下部に取付けたベース部材１２の位置が外筒２の下端より上方にあるため、内筒５の下端の位置は、このダンパー装置を最も圧縮させた場合でも、ベース部材１２の位置より下がらない。従って、上記▲１▼と同様に、ストロークが大きく取れないという不都合が生じる。
そこで、本発明の目的は、外筒に対して内筒の位置をより下げて、ストロークを大きくすることのできる倒立型ストラットダンパを提供することにある。
【０００７】
【課題を解決するための手段】
上記目的を達成するために本発明の請求項１は、下蓋の中央に、内筒の下端の内径よりも小さな外径を有する上に突な逆カップ形状部を形成することで、最圧縮時に内筒の下部に逆カップ形状部が進入し得るようにするとともに、この逆カップ形状部の下方空間にロッドの下端部及びナットを収納するようにした。
最圧縮時に逆カップ形状部が内筒内へ進入するため、内筒の位置をより下げることができ、ストロークを大きくすることができる。また、下蓋内にロッドの下端部及びナットを収納することができ、ロッドの下端部及びナットが外筒の下部から突出せず、他へ干渉することがない。
【０００８】
請求項２は、内筒の下部にオイルを封じ込めておくためのシール部材を取付け、このシール部材の下方で且つ外筒内の下部に加圧ガスを充填した。
外筒の下部を加圧ガスによるばねとすることができ、倒立型ストラットダンパのばね特性をこのばねのガス圧力を異ならせることで自由に設定することができる。
【０００９】
【発明の実施の形態】
本発明の実施の形態を添付図に基づいて以下に説明する。なお、図面は符号の向きに見るものとする。
図１は本発明に係る倒立型ストラットダンパの伸長時断面図であり、倒立型ストラットダンパ１は、取付けブラケット２を備えた外筒３（一般にストラットチューブと言う。）に、内筒としてのダンパチューブ４を上下動可能に挿入し、このダンパチューブ４の内部にダンパピストン５を臨ませ、このダンパピストン５をロッド６を介して外筒３の下蓋７に固定し、ダンパチューブ４の上部に下向きにバンピングラバー８、防塵ブーツ９を取付け、ダンパチューブ４の上端に取付けた上部スプリングシート１１と外筒３の外面に取付けた下部スプリングシート１２との間に懸架スプリング１３を取付けた構造のダンパである。
１５はロッドガイド、１６はシール部材であるオイルシール、１７はオイルシール止め、１８はマウンティングブラケットである。
【００１０】
以上の倒立型ストラットダンパ１の基本的作動を説明する。
図１において、ダンパピストン５上方の第１室２１は、上部にガス２３、下部に作動油２４が溜まり、ダンパピストン５下方の第２室２２に作動油２５（作動油２５は前記作動油２４と同一油であるが、位置を区別するために符号を変えた。）がフルに充たされている。
相対的にダンパチューブ４に押下げ力が働くと、第１室２１の作動油２４の一部がダンパピストン５のオリフィスを介して第２室２２へ移動し始め、減衰力が発生する。
【００１１】
図２は本発明に係る倒立型ストラットダンパの収縮時断面図であり、ダンパピストン５の高さ位置は変らず、ダンパチューブ４が一杯に下がったことを示す。このとき、第２室２２に進入するロッド６の体積の増加は、第１室２１上部のガス２３が圧縮されて収縮することで吸収する。
【００１２】
図３は本発明に係る外筒の上部の拡大断面図であり、外筒３の上部を拡径して大径部３１を形成し、この大径部３１上方の外筒３の内面上端に上部オイルシール３２、その下に上部軸受３３を取付け、上記大径部３１下方の外筒３の内面に下部軸受３４、その下に下部オイルシール３５を取付け、これら上部・下部オイルシール３２，３５及び上部・下部軸受３３，３４にダンパチューブ４を上下動可能に挿入し、上部・下部オイルシール３２，３５と外筒３とダンパチューブ４とで囲った空間を上部・下部オイルシール３２，３５及び上部・下部軸受３３，３４を潤滑するための潤滑油室３６としたことを示す。
【００１３】
また、図３は、外筒３を縮径する又は局部的に凹ませることで外筒３の内面にストッパカラー３７を固定し、このストッパカラー３７の上部に下部オイルシール３５を当て、この下部オイルシール３５に下部軸受３４を添わせるとともに、上部オイルシール３２に上部軸受３３を添わせ、上部・下部軸受３３，３４間にディスタンスカラー３８を介在させ、潤滑油室３６内に上部軸受３４に添わせた潤滑油含浸部材４１と、ダンパチューブ４の外面に嵌めたＯリング４２と、下部に設けた中空弾性体４３とを収納したことを示す。
【００１４】
外筒３において、上部オイルシール３２及び上部軸受３３を取付ける位置の内径をＤ１、大径部３１の内径をＤ２、下部軸受３４及び下部オイルシール３５を取付ける位置の内径をＤ３とすると、Ｄ２＞Ｄ１＝Ｄ３となる。
上部軸受３３はハウジング３３ａに軸受本体３３ｂを嵌合したものである。下部軸受３４もハウジング３４ａに軸受本体３４ｂを嵌合したものである。
上記上部軸受３３と下部軸受３４、上部オイルシール３２と下部オイルシール３５の外径はそれぞれ同一であり、共用可能である。
【００１５】
潤滑油室３６は密閉空間であり、原則として、組立て時に潤滑油を満充填する。潤滑油は温度変化により体積が変化する。潤滑油が膨張したときには、中空弾性体４３が収縮してそれを吸収し、潤滑油が収縮したときには、中空弾性体４３が膨張する。従って、潤滑油を見掛け上、満充填することができ、この結果、上部オイルシール３２及び上部軸受３３を潤滑油に浸すことができ、良好な潤滑が可能となる。
ストッパカラー３７は、下部軸受３４の下降を抑える部材であり、本例では薄板の円筒である。
【００１６】
ディスタンスカラー３８は、上部軸受３３の下降及び下部軸受３４の上昇を抑える部材であり、本例では下部を小径とした薄板の２段円筒であり、上部に潤滑油含浸部材４１の下降を抑える環状の内方凸部３８ａを有する部材である。
潤滑油含浸部材４１は、オイルを含浸し、このオイルを上部軸受３３及び上部オイルシール３２に供給して上部軸受３３及び上部オイルシール３２の潤滑を促す部材であり、例えば、リング状に形成したフェルト（一般にフェルトリングという。）が好適である。
【００１７】
Ｏリング４２は、潤滑油室３６内のオイル中を移動する場合にはダンパチューブ４と一体的に移動し、機械的外力が作用する場合にはダンパチューブ４と相対的に移動可能としたものである。
これにより、ダンパチューブ４が上動したときにＯリング４２がオイルをかき上げて上部軸受３３及び上部オイルシール３２にオイルを供給することができる。また、図にはダンパチューブ４が上動した後にＯリング４２がディスタンスカラー３８の内方凸部３８ａに当たった状態を示し、ダンパチューブ４が下動した後にＯリング４２はディスタンスカラー３８の屈曲部３８ｂ上部に想像線で示すように当たった状態となる。
【００１８】
このＯリング４２の移動量Ｌは、この倒立型ストラットダンパ１のストローク量よりも小さい。即ち、ダンパチューブ４が上動したときに、Ｏリング４２は、初めダンパチューブ４と一体的に移動するが、ディスタンスカラー３８の内方凸部３８ａに当たると、ダンパチューブ４の外面上を滑る。また、ダンパチューブ４が下動したときに、Ｏリング４２は、初めダンパチューブ４と一体的に移動するが、ディスタンスカラー３８の屈曲部３８ｂに当たると、ダンパチューブ４の外面上を滑る。
これにより、倒立型ストラットダンパ１のストロークを大きくしたり、外筒３の全長を小さくしたりすることができる。
【００１９】
中空弾性体４３は、外には通じていない一個又は多数の空洞４３ａ・・・（・・・は複数個を示す。以下同様。）を含む弾性体であり、例えば独立発泡弾性体又はウレタンゴムや発泡性樹脂を薄いラバーや樹脂で包んだものが好適である。
【００２０】
図４は本発明に係る外筒下部の収縮時の拡大断面図であり、外筒３の下蓋７の中心部を上方に突出させて凸部とした逆カップ形状部７ａを形成して、下蓋７を逆カップ形状部材とし、逆カップ形状部７ａの底部７ｂにロッド６をナット５１で取付け、尚、上記下蓋７の逆カップ形状部７ａの外径をダンパチューブ４の下端の内径よりも小さくし、且つダンパチューブ４の下部にロッドガイド１５、オイルシール１６及びオイルシール止め１７を上方へオフセットさせて取付けて、ダンパチューブ４の下部に逆カップ形状部７ａが進入し得るようにしたことを示す。
これにより、ダンパチューブ４の下端の位置を下げることができ、倒立型ストラットダンパ１のストロークを大きくすることができる。
【００２１】
また、下蓋７を逆カップ形状部材としても、ダンパチューブ４の下端位置は上がらないので、図３に示したように、最伸張時に決まる下部軸受３４の外筒３に対する位置も上がらず、この下部軸受３４と上部軸受３３（図３参照）との軸受距離を短くすることもない。従って、倒立型ストラットダンパ１に作用する曲げ力に対しても剛性を維持することができる。
更に、ロッド６の下端が外筒３の下部から突出せず、例えば、倒立型スロラットダンパ１の下部に配置するドライブシャフトの防塵ブーツ等に干渉することがない。
【００２２】
図４はまた、外筒３の取付けブラケット２の上方に、外筒３、ダンパチューブ４、下部オイルシール３５及び下蓋７で囲む空間であるガス室５２にガスを供給するためのバルブ５３を取付けたことを示す。この場合、各オイルシール１６，３５は耐圧性の高いものを使用する。
このように、バルブ５３からガス室５２にガスを供給してガス室５２内を所定圧力とすることで、倒立型ストラットダンパ１のばね特性をこのガス室５２の加圧ガスによるばねと懸架スプリング１３（図３参照）との組み合わせで自由に設定することができる。
【００２３】
また、外部から図示せぬコンプレッサでバルブ５３を介してガス室５２にガスを供給したり、ガス室５２からガスを排出することでダンパチューブ４を上下させることができ、ダンパチューブ４をマウンティングブラケット１８（図１参照）を介して取付ける図示せぬ車体の車高を調整することができる。
【００２４】
【発明の効果】
本発明は上記構成により次の効果を発揮する。
請求項１の倒立型ストラットダンパは、下蓋の中央に、内筒の下端の内径よりも小さな外径を有する上に突な逆カップ形状部を形成することで、最圧縮時に内筒の下部に逆カップ形状部が進入し得るようにするとともに、この逆カップ形状部の下方空間にロッドの下端部及びナットを収納するようにしたので、最圧縮時に逆カップ形状部が内筒内へ進入して内筒の位置をより下げることができ、ストロークを大きくすることができる。また、下蓋内にロッドの下端部及びナットを収納することができ、ロッドの下端部及びナットが外筒の下部から突出せず、他へ干渉することがない。
【００２５】
請求項２の倒立型ストラットダンパは、内筒の下部にオイルを封じ込めておくためのシール部材を取付け、このシール部材の下方で且つ外筒内の下部に加圧ガスを充填したので、外筒の下部を加圧ガスによるばねとすることができ、倒立型ストラットダンパのばね特性をこのばねのガス圧力を異ならせることで自由に設定することができる。
【図面の簡単な説明】
【図１】本発明に係る倒立型ストラットダンパの伸長時断面図
【図２】本発明に係る倒立型ストラットダンパの収縮時断面図
【図３】本発明に係る外筒の上部の拡大断面図
【図４】本発明に係る外筒下部の収縮時の拡大断面図
【符号の説明】
１…倒立型ストラットダンパ、３…外筒、４…内筒（ダンパチューブ）、５…ダンパピストン、６…ロッド、７…下蓋、７ａ…逆カップ形状部、１６…シール部材（オイルシール）、３２…上部オイルシール、３３…上部軸受、３４…下部軸受、３５…下部オイルシール、５１…ナット、５２…ガス室。
【図１】
0003943176.tif 000002
【図２】
0003943176.tif 000003
【図３】
0003943176.tif 000004
【図４】
0003943176.tif 000005